(57)【要約】【課題】      筒状の釣竿収納ケ−スの中に釣竿が確実に保持されると共に取り出し易い釣竿収納ケ−スを提供することである。【解決手段】  合成樹脂で筒状のケ−ス本体１と上端開口１ａの外側に嵌合されて上端開口１ａを覆う合成樹脂の蓋体１ｃで構成されている。  ケ−ス本体１の中は仕切り板１７で内部が複数に分割され、分割された一方のケ−ス本体内１ｄと他方のケ−ス本体内１ｅの中には夫々発条からなる弾性部材３と移動保持部材４が挿入されて移動保持部材４は合成樹脂等でケ−ス本体１の内側を上下に移動自在の形状に形成されて弾性部材３で上方に付勢されている。  釣竿収納ケ−スの中に収納される釣竿１２は例えば振り出し式釣竿で、下端には尻栓１３が取り付けられ、上端には上栓１４が取り付けられている。  【選択図】        図２
2005185114.tif 000002
【特許請求の範囲】
【請求項１】
釣竿を収納する筒状のケ−ス本体の上端開口を蓋体で覆う釣竿収納ケ−スにおいて、前記ケ−ス本体の内側に収納する釣竿の上端を開口から突出させる弾性部材を設けたことを特徴とする釣竿収納ケ−ス。
【請求項２】
釣竿を収納する筒状のケ−ス本体の上端開口を蓋体で覆う釣竿収納ケ−スにおいて、前記ケ−ス本体の内側に収納する釣竿の上端を開口から磁気反撥力で突出させる磁石を設けたことを特徴とする釣竿収納ケ−ス。
【発明の詳細な説明】
【技術分野】
【０００１】
本発明は、釣竿を収納する釣竿収納ケ−スの改良に関する。
【背景技術】
【０００２】
従来特定の長さの釣竿を専用の釣竿収納ケ−スに収納する以外は、釣竿収納ケ−スの中で釣竿が遊んでしまうことがあり何らかの係止方法を実施しなければならなかった。
更に筒状の上端に開口を有する長い釣竿収納ケ−スに釣竿を収納すると、短い釣竿は釣竿収納ケ−スの中で遊んでしまうと共に、取り出す時釣竿収納ケ−スを傾けて取り出さなければならず、取り出し難く、複数本収納されていると、傾けた時に釣竿収納ケ−ス内からすべてが飛び出して釣竿が落下してしまったり、落下して損傷してしまうことがある。
（例えば、特許文献１参照）。
又、釣竿収納ケ−スの中で釣竿に遊びがあると、竿の外観を傷める可能性があり、上栓が外れると穂先竿が滑り出して折れることもある。
【特許文献１】特許第３２９２９００号公報
【発明の開示】
【発明が解決しようとする課題】
【０００３】
解決しようとする課題は、筒状の上端に開口を有する長い釣竿収納ケ−スに釣竿を収納すると、短い釣竿は釣竿収納ケ−スの中で遊んでしまうと共に、取り出す時釣竿収納ケ−スを傾けて取り出さなければならず、取り出し難く、複数本収納されていると、傾けた時に釣竿収納ケ−ス内からすべてが飛び出して釣竿が落下してしまったり、落下して損傷してしまうことである。
【０００４】
本発明の目的は前記欠点に鑑み、筒状の釣竿収納ケ−スの中に釣竿が確実に保持されると共に取り出し易い釣竿収納ケ−スを提供することである。
【課題を解決するための手段】
【０００５】
請求項１に係わる本発明は、釣竿を収納する筒状のケ−ス本体の上端開口を蓋体で覆う釣竿収納ケ−スにおいて、前記ケ−ス本体の内側に収納する釣竿の上端を開口から突出させる弾性部材を設けたことを要旨とするものである。
請求項２に係わる本発明は、釣竿を収納する筒状のケ−ス本体の上端開口を蓋体で覆う釣竿収納ケ−スにおいて、前記ケ−ス本体の内側に収納する釣竿の上端を開口から磁気反撥力で突出させる磁石を設けたことを要旨とするものである。
【発明の効果】
【０００６】
請求項１の本発明によって、釣竿を出し入れする時、釣竿の上端がケ−ス本体の上端開口から突出するようにできるので、摘んで引き出す或は握って引き出すことが出来て取り出し易い。
ケ−ス本体の内側に釣竿が挿入されてケ−ス本体の上端開口が蓋体で閉じられると、釣竿は弾性部材で押し上げられた移動保持部材と蓋体の間に挾まれるのでガタ付かず、傷が付き難く、上栓が外れ難く、ガタ付いて音を発生することもなくなる。
蓋体が開けられた時、釣竿の上端はケ−ス本体の上端開口から突出するので、ケ−ス本体を傾けて取り出す必要がないから、傾けることによるトラブルが解消される。
請求項２の本発明によって、磁気反撥力で釣竿の上端がケ−ス本体の上端開口から突出するようにできるので、摘んで引き出す或は握って引き出すことが出来て取り出し易い。
ケ−ス本体の内側に釣竿が挿入されてケ−ス本体の上端開口が蓋体で閉じられると、釣竿は磁気反撥力で押し上げられた移動保持部材と蓋体の間に挾まれるのでガタ付かず、傷が付き難く、上栓が外れ難く、ガタ付いて音を発生することもなくなる。
【発明を実施するための最良の形態】
【０００７】
合成樹脂で筒状のケ−ス本体１と上端開口１ａの外側に嵌合されて上端開口１ａを覆う合成樹脂の蓋体で構成されている。
ケ−ス本体１の中は仕切り板１７で内部が複数に分割されている。
分割された一方のケ−ス本体内１ｄと他方のケ−ス本体内１ｅの中には夫々発条からなる弾性部材３と移動保持部材４が挿入されている。
釣竿収納ケ−スの中に収納される釣竿１２は例えば振り出し式釣竿で、下端には尻栓１３が取り付けられ、上端には上栓１４が取り付けられている。
移動保持部材４は合成樹脂等でケ−ス本体１の内側を上下に移動自在の形状に形成されて弾性部材３で上方に付勢されている。
ケ−ス本体１の高さと釣竿１２の長さ関係は、弾性部材３で上方に付勢された移動保持部材４の上に釣竿１２を載せた時、釣竿１２の少なくとも上栓１４が手で掴める長さ上端開口１ａから突出する組合せとする。
弾性部材３によって突出する長さを調整してもよい。
【実施例１】
【０００８】
以下、本発明を実施例で図面に基づき説明すると、図１は第１実施例で、図１の（ａ）は蓋体を外して釣竿が突出した釣竿収納ケ−スの断面側面図で（ｂ）は蓋体を閉じた釣竿収納ケ−スの断面側面図である。
【０００９】
釣竿収納ケ−スは、合成樹脂で筒状のケ−ス本体１と上端開口１ａの外側に嵌合されて上端開口１ａを覆う合成樹脂の蓋体２で構成されている。
ケ−ス本体１の中には発条からなる弾性部材３と移動保持部材４が挿入されている。
ケ−ス本体１の上端開口１ａより下側の外側には蓋体２を係止する係止部１０が固定されている。
蓋体２の開口２ａの縁の外側には係止用のベルト１１が固定されてベルト１１に係止部１０の球部が挿入可能な孔が穿設されている。
釣竿収納ケ−スの中に収納される釣竿１２は例えば振り出し式釣竿で、下端には尻栓１３が取り付けられ、上端には上栓１４が取り付けられている。
ケ−ス本体１及び蓋体２は透明の合成樹脂で形成されたり、不透明の合成樹脂で形成されて適宜位置に内部が視認可能な窓が形成されている。
【００１０】
移動保持部材４は合成樹脂等でケ−ス本体１の内側を上下に移動自在の形状に形成されて弾性部材３で上方に付勢されている。
ケ−ス本体１の高さと釣竿１２の長さ関係は、弾性部材３で上方に付勢された移動保持部材４の上に釣竿１２を載せた時、釣竿１２の少なくとも上栓１４が手で掴める長さ上端開口１ａから突出する組合せとする。
弾性部材３によって突出する長さを調整してもよい。
ケ−ス本体１の側面には大小のポケット１５、１６が設けられている。
ポケット１５には釣用の小物等が入れられ、ポケット１６には釣竿１２の竿種等が確認し易いシ−ル、ラベル等が挿入される。
【００１１】
釣竿収納ケ−スの中に釣竿１２が収納される時は、ケ−ス本体１の中に釣竿１２が挿入されると尻栓１３が移動保持部材４の上に載せられる。
この時釣竿１２の上端はケ−ス本体１の上端開口１ａから突出するようにし、上端開口１ａを蓋体２で覆うように嵌合され、係止用のベルト１１の孔に係止部１０が係止される。
ケ−ス本体１の内側に釣竿１２が挿入される時は、釣竿１２の上端がケ−ス本体１の上端開口１ａから突出するようにする。
ケ−ス本体１の内側に釣竿１２が挿入されてケ−ス本体１の上端開口１ａが蓋体２で閉じられると、移動保持部材４は弾性部材３に抗して釣竿１２で押し下げられる。
【００１２】
前記のように釣竿収納ケ−スが構成されると、釣竿１２を出し入れする時、釣竿１２の上端がケ−ス本体１の上端開口１ａから突出するようにできるので、摘んで引き出す或は握って引き出すことが出来て取り出し易い。
ケ−ス本体１の内側に釣竿１２が挿入されてケ−ス本体１の上端開口１ａが蓋体２で閉じられると、釣竿１２は弾性部材３で押し上げられた移動保持部材４と蓋体２の間に挾まれるのでガタ付かず、傷が付き難く、上栓が外れ難く、ガタ付いて音を発生することもなくなる。
蓋体２が開けられた時、釣竿１２の上端はケ−ス本体１の上端開口１ａから突出するので、ケ−ス本体１を傾けて取り出す必要がないから、傾けることによるトラブルが解消される。
【実施例２】
【００１３】
図２は第２実施例で、図２の（ａ）は蓋体を開いて釣竿が突出した釣竿収納ケ−スの断面側面図で、（ｂ）は蓋体を閉じた釣竿収納ケ−スの平面図で、（ｃ）は蓋体を閉じた釣竿収納ケ−スの断面側面図で、（ｄ）は釣竿収納ケ−スの他の断面側面図と一部拡大断面側面図である。
【００１４】
第２実施例の釣竿収納ケ−スは、合成樹脂で筒状のケ−ス本体１と上端開口１ａの上側にヒンジ部１ｂ、１ｂで蓋体１ｃ、１ｃが開閉自在に取り付けられている。
ケ−ス本体１の中は仕切り板１７で内部が複数に分割されている。
分割された一方のケ−ス本体内１ｄと他方のケ−ス本体内１ｅの中には夫々発条からなる弾性部材３と移動保持部材４が挿入されている。
ケ−ス本体１の上端開口１ａより下側の外側には蓋体１ｃ、１ｃを係止する係止部１０、１０が固定されている。
蓋体１ｃ、１ｃのヒンジ部１ｂ、１ｂとは反対の一側の縁の外側には係止用のベルト１１、１１が固定されてベルト１１、１１に係止部１０、１０の球部が挿入可能な孔が穿設されている。
他の構成は前記第１実施例と略同一である。
【００１５】
釣竿収納ケ−スの中に収納される釣竿１２は例えば振り出し式釣竿で、下端には尻栓１３が取り付けられ、上端には上栓１４が取り付けられている。
弾性部材３で上方に付勢された移動保持部材４の上に釣竿１２を載せられている。
図面では同一の長さの釣竿１２を図示したが、異なる長さの釣竿を収納してもよい。
ケ−ス本体１のケ−ス本体内１ｄ、１ｅの中に収納する釣竿は、振り出し式以外の長さの異なる並継ぎ竿を収納してもよい。
第２実施例では蓋体１ｃ、１ｃがヒンジ部１ｂ、１ｂで開閉自在に取り付けられたが、第１実施例と同様に一つの蓋体２でケ−ス本体１の上端開口１ａを閉じるようにしてもよい。
図面ではケ−ス本体１内は２分割されたが、３分割、４分割、６分割等としてもよく、蓋体は１つでもよいし各分割数に合わせた複数でもよい。
【００１６】
第２実施例のように釣竿収納ケ−スが構成されると、異なる長さの釣竿をガタ付かずに収納することができる。
【実施例３】
【００１７】
図３から図７は第３実施例で、図３の（ａ）は蓋体を開いて釣竿が突出した釣竿収納ケ−スの断面側面図で、（ｂ）は蓋体を開いて釣竿が突出した釣竿収納ケ−スの他の断面側面図で、（ｃ）は蓋体を閉じた釣竿収納ケ−スの他の断面側面図、図４は釣竿収納ケ−スの一部断面平面図、図５は図３（ａ）の下側の拡大断面側面図、図６の（ａ）は図３（ｂ）の下側の拡大断面側面図で、（ｂ）は図３（ｃ）の下側の拡大断面側面図、図７は移動保持部材に固定された係止部材の移動経過を示す説明図である。
【００１８】
第３実施例では、蓋体を開いた状態で釣竿を押し下げた状態が保持可能な下降保持機構Ａを組み込んだ釣竿収納ケ−スが例示されている。
ケ−ス本体１内の左右の壁面に下降保持機構Ａのカム５の上側がピン軸６で回動自在に軸承されてカム５は発条１８で一方向に回動付勢されている。
カム５は頂部５ａと傾斜面５ｂと緩い円弧面５ｃと凸部５ｄと凹部５ｅと凸部５ｆと緩い円弧面５ｇとで変形ハ−ト形に形成されている。
移動保持部材４の側面には係止部材７が固定されている。
係止部材７が固定されたがわのケ−ス本体１内の移動保持部材４の両側にはガイドレ−ル１９、１９がケ−ス本体１の長手方向に設けられている。
【００１９】
係止部材７は固定部７ａと可撓部７ｂと係合部７ｃで形成されている。
係合部７ｃはカム面に当接されて移動保持部材４を上下方向に移動させる。
係止部材７は弾性部材３に抗して移動保持部材４を下降させる強度と移動保持部材４と釣竿１２を上昇させる強度を有している。
各移動保持部材４の左右に係止部材７とカム５を設けて係止部材７の強度を補強してもよい。
第３実施例のケ−ス本体１の高さと釣竿１２の長さ関係は、弾性部材３で上方に付勢された移動保持部材４の上に釣竿１２を載せた時、釣竿１２の少なくとも上栓１４が手で掴める長さ上端開口１ａから突出する組合せとする。
他の構成は前記第１実施例と略同一である。
【００２０】
移動保持部材４に固定された係止部材７の移動経過は、図３（ａ）、図６（ａ）はケ−ス本体内１ｄの中に釣竿１２が挿入されて移動保持部材４は弾性部材３で上方に付勢された状態を示し、係止部材７の係合部７ｃはカム５の傾斜面５ｂに当接または傾斜面５ｂの上方にある。
釣竿１２が押し下げられると図７（ａ）のように係合部７ｃは緩い円弧面５ｃに当接されながら下降してカム５は発条１８で反時計方向に付勢されているので、図７（ｂ）のように凸部５ｄを乗り越えて凹部５ｅに係止されて釣竿１２は上端開口１ａの内側に位置する。
この状態では蓋体１ｃを閉じなくとも釣竿１２は収納状態となる。
次に釣竿１２が押し下げられるとカム５は発条１８で反時計方向に付勢されているので、係合部７ｃは図７（ｃ）のように凸部５ｆを乗り越えて緩い円弧面５ｇと頂部５ａを経て図６（ａ）の位置に戻ることになる。
釣竿が幾分短い場合は釣竿を押し下げても係合部７ｃはカム５の凹部５ｅに係止されず、弾性部材３で移動保持部材４と蓋体１ｃの間で保持される。
【００２１】
第３実施例のように釣竿収納ケ−スが構成されると、蓋体１ｃを閉じなくとも釣竿１２を収納状態とすることが出来る。
釣竿１２の長さに略無関係に釣竿をケ−ス本体内１ｄの中に挿入した時上端が掴めるように突出させ、押し下げると上端開口１ａの内側に位置するように、下降保持機構Ａを組み込んだ筒体をケ−ス本体１の内側に設け、筒体の底部とケ−ス本体１の間に発条を設けて、この発条でケ−ス本体１の高さと釣竿１２の長さ関係から外れた釣竿の長さの長短を吸収してもよい。
【実施例４】
【００２２】
図８から図１０は第４実施例で、図８は釣竿収納ケ−スの断面側面図、図９は釣竿収納ケ−スの上側の拡大断面側面図、図１０は釣竿収納ケ−スの下側の拡大断面側面図である。
【００２３】
第４実施例では、ケ−ス本体１の上端開口１ａに上側筒体８が取り付けられ、ケ−ス本体内１ｄ、１ｅの中に上側筒体８に夫々発条からなる弾性部材３を介して下側筒体９が吊り下げられている。
ケ−ス本体１内の左右の壁面に下降保持機構Ａのカム５の上側がピン軸６で回動自在に軸承されてカム５は発条１８で一方向に回動付勢されている。
下側筒体９の下側の外側面には係止部材７が固定されている。
上側筒体８には２つの筒部８ａ、８ａが形成されて筒部８ａ、８ａの上側の外側に外側に向けて鍔部８ｂが形成されている。
下側筒体９の筒部９ａの内側の上側には内側に向けて鍔部９ｂが形成されている。
鍔部８ｂと鍔部９ｂに弾性部材３の上端と下端が係合されている。
上側筒体８またはケ−ス本体１にヒンジ部を介して蓋体が形成されている。
他の構成は前記第３実施例と略同一である。
【００２４】
釣竿１２が押し下げられると下側筒体９が弾性部材３に抗して押し下げられて前記第３実施例のように係止部材７の係合部７ｃがカム５の周囲を回って凹部５ｅに係止されて釣竿１２は上端開口１ａの内側に位置する。
係止部材７の移動経過は前記第３実施例と略同一である。
【実施例５】
【００２５】
図１１は第５実施例で、図１１は釣竿収納ケ−スの断面側面図である。
【００２６】
第５実施例では、磁石の磁気反撥力でケ−ス本体１の内側に収納する釣竿１２の上端を開口１ａから突出させている。
ケ−ス本体１内の底部には磁石２０が挿入され、ケ−ス本体１内に挿入された移動保持部材４の裏面に磁石２１が固定されている。
磁石２０と磁石２１は同極が対向するように設けられている。
他の構成は前記第２実施例と略同一である。
【００２７】
第５実施例で分割された一方のケ−ス本体内１ｄと他方のケ−ス本体内１ｅの中に夫々釣竿１２が挿入されると、磁石２０、２１の磁気反撥力で移動保持部材４が上方に持ち上げられているので、釣竿１２の上端は上端開口１ａから突出される。
釣竿１２が磁気反撥力に抗して押し下げられて蓋体１ｃ、１ｃが閉じられると収納状態となる。
ケ−ス本体１の高さと釣竿１２の長さ関係は、磁気反撥力で上方に付勢された移動保持部材４の上に釣竿１２を載せた時、釣竿１２の少なくとも上栓１４が手で掴める長さ上端開口１ａから突出する組合せとする。
【実施例６】
【００２８】
図１２は第６実施例で、図１２の（ａ）は釣竿収納ケ−スの側面図で（ｂ）は釣竿収納ケ−スの他の側面図と一部拡大側面図である。
【００２９】
第６実施例で釣竿収納ケ−スは、合成樹脂で筒状のケ−ス本体１と上端開口１ａの上側にヒンジ部１ｂ、１ｂで蓋体１ｆ、１ｆが開閉自在に取り付けられている。
蓋体１ｆは側面三角形に形成されている。
ケ−ス本体１に係止部１ｇが、蓋体１ｆに係止部１ｈが形成されている。
他の構成は前記第２実施例と略同一である。
【００３０】
第６実施例のように蓋体１ｆが側面三角形に形成されていると、上端開口１ａの開口面積が広くなり、ケ−ス本体１内に収納した釣竿が取り出し易く成る。
この第６実施例を他の実施例に実施してもよい。
【図面の簡単な説明】
【００３１】
【図１】第１実施例で、（ａ）は蓋体を外して釣竿が突出した釣竿収納ケ−スの断面側面図で（ｂ）は蓋体を閉じた釣竿収納ケ−スの断面側面図である。
【図２】第２実施例で、（ａ）は蓋体を開いて釣竿が突出した釣竿収納ケ−スの断面側面図で、（ｂ）は蓋体を閉じた釣竿収納ケ−スの平面図で、（ｃ）は蓋体を閉じた釣竿収納ケ−スの断面側面図で、（ｄ）は釣竿収納ケ−スの他の断面側面図と一部拡大断面側面図である。
【図３】第３実施例で、（ａ）は蓋体を開いて釣竿が突出した釣竿収納ケ−スの断面側面図で、（ｂ）は蓋体を開いて釣竿が突出した釣竿収納ケ−スの他の断面側面図で、（ｃ）は蓋体を閉じた釣竿収納ケ−スの他の断面側面図である。
【図４】同釣竿収納ケ−スの一部断面平面図である。
【図５】同図３（ａ）の下側の拡大断面側面図である。
【図６】同（ａ）は図３（ｂ）の下側の拡大断面側面図で、（ｂ）は図３（ｃ）の下側の拡大断面側面図である。
【図７】同移動保持部材に固定された係止部材の移動経過を示す説明図である。
【図８】第４実施例で、釣竿収納ケ−スの断面側面図である。
【図９】同釣竿収納ケ−スの上側の拡大断面側面図である。
【図１０】同釣竿収納ケ−スの下側の拡大断面側面図である。
【図１１】第５実施例で、釣竿収納ケ−スの断面側面図である。
【図１２】第６実施例で、（ａ）は釣竿収納ケ−スの側面図で（ｂ）は釣竿収納ケ−スの他の側面図と一部拡大側面図である。
【符号の説明】
【００３２】
１  ケ−ス本体
１ｃ、２  蓋体
３  弾性部材
１２  釣竿
２０、２１  磁石
【図１】
2005185114.tif 000003
【図２】
2005185114.tif 000004
【図３】
2005185114.tif 000005
【図４】
2005185114.tif 000006
【図５】
2005185114.tif 000007
【図６】
2005185114.tif 000008
【図７】
2005185114.tif 000009
【図８】
2005185114.tif 000010
【図９】
2005185114.tif 000011
【図１０】
2005185114.tif 000012
【図１１】
2005185114.tif 000013
【図１２】
2005185114.tif 000014